(57)【特許請求の範囲】
【請求項１】
電子機器であって、
複数の電池装置の少なくとも一つが非正規の電池装置であるか否かを判定する判定手段と、
前記複数の電池装置の少なくとも一つが非正規の電池装置であると判定された場合に、正規の電池装置を使用していないことを示す操作と、非正規の電池装置であると判定された電池装置の使用を継続しないことを示す操作とがユーザーによって行われた場合には、正規の電池装置が前記複数の電池装置に含まれている場合であっても、前記複数の電池装置の前記電子機器での使用を停止するための制御を行う制御手段と
を有することを特徴とする電子機器。
【請求項２】
前記制御手段は、前記複数の電池装置の少なくとも一つが非正規の電池装置であると判定された場合に、正規の電池装置を使用していないことを示す操作と、非正規の電池装置であると判定された電池装置の使用を継続することを示す操作とがユーザーによって行われた場合には、非正規の電池装置が前記複数の電池装置に含まれている場合であっても、前記複数の電池装置の前記電子機器での使用を可能にするための制御を行うことを特徴とする請求項１に記載の電子機器。
【請求項３】
前記制御手段は、前記複数の電池装置の少なくとも一つが非正規の電池装置であると判定された場合に、正規の電池装置を使用していることを示す操作がユーザーによって行われた場合には、正規の電池装置が前記複数の電池装置に含まれている場合であっても、前記複数の電池装置の前記電子機器での使用を停止するための制御を行うことを特徴とする請求項１または２に記載の電子機器。
【請求項４】
前記制御手段は、前記複数の電池装置のいずれもが正規の電池装置であると判定された場合には、前記複数の電池装置の前記電子機器での使用を可能にするための制御を行うことを特徴とする請求項１から３のいずれか１項に記載の電子機器。
【請求項５】
電子機器の制御方法であって、
複数の電池装置の少なくとも一つが非正規の電池装置であるか否かを判定するステップと、
前記複数の電池装置の少なくとも一つが非正規の電池装置であると判定された場合に、正規の電池装置を使用していないことを示す操作と、非正規の電池装置であると判定された電池装置の使用を継続しないことを示す操作とがユーザーによって行われた場合には、正規の電池装置が前記複数の電池装置に含まれている場合であっても、前記複数の電池装置の前記電子機器での使用を停止するための制御を行うステップと
を有することを特徴とする制御方法。
【請求項６】
前記複数の電池装置の少なくとも一つが非正規の電池装置であると判定された場合に、正規の電池装置を使用していないことを示す操作と、非正規の電池装置であると判定された電池装置の使用を継続することを示す操作とがユーザーによって行われた場合には、非正規の電池装置が前記複数の電池装置に含まれている場合であっても、前記複数の電池装置の前記電子機器での使用を可能にするための制御を行うステップをさらに有することを特徴とする請求項５に記載の制御方法。
【請求項７】
前記複数の電池装置の少なくとも一つが非正規の電池装置であると判定された場合に、正規の電池装置を使用していることを示す操作がユーザーによって行われた場合には、正規の電池装置が前記複数の電池装置に含まれている場合であっても、前記複数の電池装置の前記電子機器での使用を停止するための制御を行うステップをさらに有することを特徴とする請求項５または６に記載の制御方法。
【請求項８】
前記複数の電池装置のいずれもが正規の電池装置であると判定された場合には、前記複数の電池装置の前記電子機器での使用を可能にするための制御を行うステップをさらに有することを特徴とする請求項５から７のいずれか１項に記載の制御方法。
【請求項９】
コンピュータを電子機器として機能させるためのプログラムであって、
前記コンピュータを、
複数の電池装置の少なくとも一つが非正規の電池装置であるか否かを判定する判定手段と、
前記複数の電池装置の少なくとも一つが非正規の電池装置であると判定された場合に、正規の電池装置を使用していないことを示す操作と、非正規の電池装置であると判定された電池装置の使用を継続しないことを示す操作とがユーザーによって行われた場合には、正規の電池装置が前記複数の電池装置に含まれている場合であっても、前記複数の電池装置の前記電子機器での使用を停止するための制御を行う制御手段
として機能させるためのプログラム。
【発明の詳細な説明】
【技術分野】
【０００１】
本発明は、複数の電池装置が接続される電子機器に関する。
【背景技術】
【０００２】
特許文献１及び２には、電子機器に接続されている一つの電池装置が正規品であるか否かを判定するための方法が記載されている。
【先行技術文献】
【特許文献】
【０００３】
【特許文献１】特開２００６−５４７５４号公報
【特許文献２】特開２００５−９４１２８号公報
【発明の概要】
【発明が解決しようとする課題】
【０００４】
しかしながら、特許文献１及び２のいずれにも、電子機器に接続されている複数の電池装置に正規品及び非正規品が含まれている場合についての記載はなかった。そのため、電子機器に接続されている複数の電池装置に正規品及び非正規品が含まれている場合に、当該複数の電池装置のうちから電子機器が使用する電池装置をどのようにして選択すればよいかは不明であった。
そこで、本発明は、電子機器に接続されている複数の電池装置に正規品及び非正規品が含まれている場合に、当該複数の電池装置のうちから電子機器が使用する電池装置を選択することができるようにすることを目的とする。
【課題を解決するための手段】
【０００５】
本発明に係る電子機器は、電子機器であって、複数の電池装置の少なくとも一つが非正規の電池装置であるか否かを判定する判定手段と、前記複数の電池装置の少なくとも一つが非正規の電池装置であると判定された場合に、正規の電池装置を使用していないことを示す操作と、非正規の電池装置であると判定された電池装置の使用を継続しないことを示す操作とがユーザーによって行われた場合には、正規の電池装置が前記複数の電池装置に含まれている場合であっても、前記複数の電池装置の前記電子機器での使用を停止するための制御を行う制御手段とを有する。
本発明に係る制御方法は、電子機器の制御方法であって、複数の電池装置の少なくとも一つが非正規の電池装置であるか否かを判定するステップと、前記複数の電池装置の少なくとも一つが非正規の電池装置であると判定された場合に、正規の電池装置を使用していないことを示す操作と、非正規の電池装置であると判定された電池装置の使用を継続しないことを示す操作とがユーザーによって行われた場合には、正規の電池装置が前記複数の電池装置に含まれている場合であっても、前記複数の電池装置の前記電子機器での使用を停止するための制御を行うステップとを有する。
本発明に係るプログラムは、コンピュータを電子機器として機能させるためのプログラムであって、前記コンピュータを、複数の電池装置の少なくとも一つが非正規の電池装置であるか否かを判定する判定手段と、前記複数の電池装置の少なくとも一つが非正規の電池装置であると判定された場合に、正規の電池装置を使用していないことを示す操作と、非正規の電池装置であると判定された電池装置の使用を継続しないことを示す操作とがユーザーによって行われた場合には、正規の電池装置が前記複数の電池装置に含まれている場合であっても、前記複数の電池装置の前記電子機器での使用を停止するための制御を行う制御手段として機能させる。
【発明の効果】
【０００６】
本発明によれば、電子機器に接続されている複数の電池装置に正規品及び非正規品が含まれている場合に、当該複数の電池装置のうちから電子機器が使用する電池装置を選択することができる。
【図面の簡単な説明】
【０００７】
【図１】（ａ）は、実施形態１及び２における電子機器１００の外観の前面斜視図の一例であり、（ｂ）は、実施形態１及び２における電子機器１００の外観の背面斜視図の一例である。
【図２】実施形態１及び２における電子機器１００が有する構成要素を説明するためのブロック図である。
【図３】実施形態１における電子機器１００で行われる電池認証処理の一例を説明するためのフローチャートである。
【図４】実施形態２における電子機器１００で行われる電池認証処理の一例を説明するためのフローチャートである。
【発明を実施するための形態】
【０００８】
以下、図面を参照し、本発明の実施の形態を説明する。
【０００９】
［実施形態１］
図１（ａ）は、実施形態１及び２における電子機器１００の外観の前面斜視図の一例であり、図１（ｂ）は、実施形態１及び２における電子機器１００の外観の背面斜視図の一例である。図２は、実施形態１及び２における電子機器１００が有する構成要素を説明するためのブロック図である。電子機器１００は、例えば、撮像装置、携帯電話及び携帯機器の少なくとも一つとして動作可能である。実施形態１及び２では、電子機器１００が、撮像装置の一例であるデジタルカメラとして構成されている場合を説明する。電子機器１００が有する全ての構成要素の少なくとも一つは、ハードウェア構成を有する。
【００１０】
図１において、表示部２８は、画像や各種情報を表示する表示部である。シャッターボタン６１は、撮影指示を行うための操作部である。モード切替スイッチ６０は、各種モードを切り替えるための操作部である。端子カバー４０は、外部機器との接続ケーブルと電子機器１００とを接続する接続ケーブル等のコネクタを保護するカバーである。
【００１１】
メイン電子ダイヤル７１は、図２の操作部７０に含まれる回転操作部材であり、このメイン電子ダイヤル７１を回すことで、シャッター速度や絞りなどの設定値の変更等が行える。電源スイッチ７２は、電子機器１００の電源のＯＮ及びＯＦＦを切り替える操作部材である。サブ電子ダイヤル７３は、図２の操作部７０に含まれ、回転操作部材であり、選択枠の移動や画像送りなどを行える。十字キー７４は、図２の操作部７０に含まれ、上、下、左、右部分をそれぞれ押し込み可能な十字キーである。十字キー７４の押した部分に応じた操作が可能である。ＳＥＴボタン７５は図２の操作部７０に含まれ、押しボタンであり、主に選択項目の決定などに用いられる。
【００１２】
ＬＶボタン７６は、図２の操作部７０に含まれ、静止画撮影モードにおいてライブビュー（以下、ＬＶ）のＯＮとＯＦＦを切り替えるボタンである。動画撮影モードにおいては、動画撮影の開始、停止の指示に用いられる。拡大ボタン７７は、図２の操作部７０に含まれ、撮影モードのライブビュー表示において拡大モードのＯＮ、ＯＦＦ、及び拡大モード中の拡大率の変更を行うための操作ボタンである。再生モードにおいては、再生画像を拡大し、拡大率を増加させるための拡大ボタンとして機能する。
【００１３】
再生ボタン７８は、図２の操作部７０に含まれ、撮影モードと再生モードとを切り替える操作ボタンである。撮影モード中に再生ボタン７８を押下することで再生モードに移行し、図２の記録媒体２００に記録された画像のうち最新の画像を表示部２８に表示させることができる。
【００１４】
クイックリターンミラー１２は、図２のシステム制御部５０から指示されて、アクチュエータによりアップダウンされる。通信端子１０は電子機器１００がレンズユニット１５０と通信を行うための通信端子である。接眼ファインダー１６は、図２のフォーカシングスクリーン１３を観察することで、図２のレンズユニット１５０を通して得た被写体の光学像の焦点や構図の確認を行うための覗き込み型のファインダーである。蓋２０２は図２の記録媒体２００を格納したスロットの蓋である。フラッシュ１９は、電子機器１００に内蔵された閃光装置である。
【００１５】
次に、図２を参照し、実施形態１及び２における電子機器１００が有する構成要素を説明する。
【００１６】
図２において、レンズユニット１５０は、電子機器１００に接続される取り外し可能なレンズユニットである。
レンズ１０３は、複数枚のレンズから構成される。通信端子６は、レンズユニット１５０が電子機器１００側と通信を行うための通信端子であり、通信端子１０は電子機器１００がレンズユニット１５０側と通信を行うための通信端子である。レンズユニット１５０は、通信端子６、１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００１７】
ＡＥセンサー１７は、レンズユニット１５０を通した被写体の輝度を測光する。
焦点検出部１１は、システム制御部５０にデフォーカス量情報を出力する。システム制御部５０はそれに基づいてレンズユニット１５０を制御し、位相差ＡＦ処理を行う。
【００１８】
クイックリターンミラー１２（以下、ミラー１２）は、露光、ライブビュー撮影または動画撮影が行われる場合にシステム制御部５０から指示されて、アクチュエータによりアップダウンされる。ミラー１２は、レンズ１０３から入射した光束を接眼ファインダー１６側と撮像部２２側とに切替えるためのミラーである。ミラー１２は、通常時は接眼ファインダー１６に光束を導くよう反射させるように配されているが、撮影が行われる場合やライブビュー表示の場合には、撮像部２２に光束を導くように上方に跳ね上がり、光束中から待避する（ミラーアップ）。また、ミラー１２は、その中央部が光の一部を透過できるようにハーフミラーとなっており、光束の一部を、焦点検出を行うための焦点検出部１１に入射するように透過させる。
【００１９】
撮影者は、ペンタプリズム１４と接眼ファインダー１６を介して、フォーカシングスクリーン１３を観察することで、レンズユニット１５０を通して得た被写体の光学像の焦点や構図の確認が可能となる。
フォーカルプレーンシャッター１０１は、システム制御部５０の制御で撮像部２２の露光時間を自由に制御できるフォーカルプレーンシャッターである。
【００２０】
撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２２】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を有している。
【００２３】
また、メモリ３２は画像表示用のメモリ（ビデオメモリ）を兼ねている。Ｄ／Ａ変換器２５は、メモリ３２に格納されている画像表示用のデータをアナログ信号に変換して表示部２８に供給する。こうして、メモリ３２に書き込まれた表示用の画像データはＤ／Ａ変換器２５を介して表示部２８により表示される。
表示部２８は、ＬＣＤ等の表示器上に、Ｄ／Ａ変換器２５からのアナログ信号に応じた表示を行う。Ａ／Ｄ変換器２３によって一度Ａ／Ｄ変換されメモリ３２に蓄積されたデジタル信号をＤ／Ａ変換器２５においてアナログ変換し、表示部２８に逐次転送して表示することで、電子ビューファインダとして機能し、スルー画像表示（ライブビュー表示）を行える。また、表示部２８は、電池認証処理の結果を示す情報をユーザーに通知するためのユーザーインタフェースとして機能する。
【００２４】
メモリ５６は、電気的に消去・記録可能なメモリであり、例えば不揮発性メモリが用いられる。メモリ５６には、システム制御部５０の動作用の定数、プログラム等が記憶される。ここでいう、プログラムとは、本実施形態にて後述する各種フローチャートを実行するためのプログラムのことである。
【００２５】
システム制御部５０は、電子機器１００が有する全ての構成要素を制御する。前述したメモリ５６に格納されたプログラムを実行することで、後述する本実施形態の各処理を実現する。５２はシステムメモリであり、ＲＡＭが用いられる。システムメモリ５２には、システム制御部５０の動作用の定数、変数、メモリ５６から読み出したプログラム等を展開する。また、システム制御部５０は、メモリ３２、Ｄ／Ａ変換器２５、表示部２８等を制御することにより表示制御も行う。
【００２６】
システムタイマー５３は、各種制御に用いる時間や、内蔵された時計の時間を計測する計時部である。フラッシュ制御回路５４は、フラッシュ１９を制御する回路である。フラッシュ１９のポップアップや発光タイミング、発光量の調整を行う。
モード切替スイッチ６０、第１シャッタースイッチ６２、第２シャッタースイッチ６４、操作部７０はシステム制御部５０に各種の動作指示を入力するための操作手段である。
【００２７】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判定モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、静止画撮影モードに含まれるこれらのモードのいずれかに直接切り替えられる。あるいは、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２８】
第１シャッタースイッチ６２は、電子機器１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２９】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、再生ボタン７８などである。
【００３０】
記録制御部は、記録媒体２００（メモリカード、ハードディスク装置等）を制御するためのインターフェース部である。記録媒体２００は、撮影された画像を記録するための記録媒体である。記録媒体２００は、半導体メモリ、ハードディスク装置等から構成される。記録媒体２００は、電子機器１００から取り外し可能である。
【００３１】
電源制御部８０は、電池検出回路、ＤＣ−ＤＣコンバータ、通電する電池装置を切り替える選択部８５等により構成され、電池の装着の有無、電池残量の検出を行う。また、電源制御部８０は、システム制御部５０からの指示に従い、電子機器１００が使用する電池装置が選択されるように選択部８５で制御する。さらに、ＤＣ−ＤＣコンバータを制御し、必要な電圧を必要な期間、記録媒体２００を含む各構成要素へ電力を供給する電力供給制御を行う。
通信制御部８２は、システム制御部５０による指示に従い、後述する電池認証処理（図３及び図４参照）と、電池装置の種類の判定とを行う。
【００３２】
グリップユニット９０は、ユーザーが右手或いは左手で握りやすい形状とした保持部である。グリップユニット９０は、第１の電池装置９１及び第２の電池装置９２を含む複数の電池装置を収納できるように構成されている。グリップユニット９０に収納できる電池装置の数は、２つに限るものはなく、３つ以上でもよい。グリップユニット９０に収納された複数の電池装置は、電子機器１００と接続される。電子機器１００は、グリップユニット９０に収納された複数の電池装置の少なくとも一つを電源として使用することができる。グリップユニット９０は、電子機器１００から取り外し可能であってもよい。
【００３３】
第１の電池装置９１（バッテリー１）は、充電可能な１つ以上のバッテリーセルを有する電池装置（バッテリパックともいう）である。第１の電池装置９１は、プラス端子（＋）と、マイナス端子（−）と、通信端子（Ｓ）とを有する。プラス端子（＋）は選択部８５を介して電源制御部８０に接続され、マイナス端子（−）は電源制御部８０に接続され、通信端子（Ｓ）は通信制御部８２に接続される。第１の電池装置９１は、通信端子（Ｓ）を用いて、電池認証処理に用いられる情報と電池種類を判定するのに用いられる情報とを通信制御部８２に送信する。
第２の電池装置９２（バッテリー２）は、充電可能な１つ以上のバッテリーセルを有する電池装置（バッテリパックともいう）である。第２の電池装置９２は、プラス端子（＋）と、マイナス端子（−）と、通信端子（Ｓ）とを有する。プラス端子（＋）は選択部８５を介して電源制御部８０に接続され、マイナス端子（−）は電源制御部８０に接続され、通信端子（Ｓ）は通信制御部８２に接続される。第１の電池装置９１は、通信端子（Ｓ）を用いて、電池認証処理に用いられる情報と電池種類を判定するのに用いられる情報とを通信制御部８２に送信する。
【００３４】
次に、通信制御部８２で行われる電池認証処理について説明する。
電池認証処理は、第１の電池装置９１及び第２の電池装置９２のそれぞれが正規品であるか非正規品であるかを判定するための認証処理である。
第１の電池装置９１及び第２の電池装置９２には、認証処理を行うのに必要な認証ＩＣと鍵データが搭載されている。また、同様に、電子機器１００にも認証ＩＣと鍵データが搭載される。認証処理では、共通鍵暗号方式や公開鍵暗号方式などの暗号方式により、第１の電池装置９１及び第２の電池装置９２と電子機器１００の鍵データが対応したものである場合に認証処理が成功する。
【００３５】
また、非正規品でも、正規品に似せた電池装置に認証ＩＣと鍵データを搭載しているものがあるが、一般に、正規品の鍵データのコピーは困難である。そのため、認証処理を失敗するので、電池装置が非正規品であることが判明する。
【００３６】
図３は、実施形態１における電子機器１００で行われる電池認証処理の一例を説明するためのフローチャートである。システム制御部５０は、メモリ５６に格納されているプログラムを実行することにより、図３のフローチャートに示す電池認証処理を制御することができる。
【００３７】
ステップＳ１１０では、第１の電池装置９１及び第２の電池装置９２が電子機器１００に接続されると電源制御部８０が起動し、選択部８５をＯＮとすることで、システム制御部５０への電力供給を開始する。システム制御部５０は、電子機器１００に接続されている全ての電池装置が正規品であるか否かを判定するための電池認証処理を開始し、電池認証処理でチェック対象となる電池装置を指定する。
【００３８】
ステップＳ１１１では、ステップＳ１１０で指定した電池装置の電池認証処理を通信制御部８２により行う。
【００３９】
ステップＳ１１２では、システム制御部５０は、ステップＳ１１１の電池認証処理の結果を電池認証テーブルに格納する。電池認証テーブルは、メモリ５６に格納されている。
【００４０】
ステップＳ１１３では、システム制御部５０は、電池認証処理を電子機器１００に接続されている全ての電池装置に対して行ったか否かを判定する。電池認証処理を電子機器１００に接続されている全ての電池装置に対して行ったと判定された場合は、ステップＳ１１４に進む。電池認証処理を電子機器１００に接続されている全ての電池装置に対して行っていないと判定された場合は、ステップＳ１１０に戻る。
【００４１】
ステップＳ１１４では、システム制御部５０は、電池認証テーブルを確認し、非正規品が含まれるか否かを判定する。非正規品が含まれる場合はステップＳ１２０に移行し、含まれない場合はステップＳ１１５に移行する。
【００４２】
ステップＳ１１５では、システム制御部５０は、電源制御部８０により選択部８５を操作し、第１の電池装置９１のプラス端子（＋）と第２の電池装置９２のプラス端子（＋）を電源制御部８０に接続する。これにより、第１の電池装置９１と第２の電池装置９２の両方から電力供給を受けることができるようになる。
【００４３】
ステップＳ１２０では、システム制御部５０は、表示部２８に「正規のバッテリーをお使いですか。」に相当する情報を表示する。
【００４４】
ステップＳ１２１では、ユーザーが操作部７０を操作し、システム制御部５０は、ユーザーがＹＥＳアイコンを選択したかどうかを判定する。ユーザーがＹＥＳアイコンを選択した場合はステップＳ１２２に移行し、それ以外の場合はステップＳ１４０に移行する。
【００４５】
ステップＳ１２２では、システム制御部５０は、電池認証テーブルを確認し、正規の電池装置が含まれるか否かを判定する。正規の電池装置が含まれる場合はステップＳ１２３に移行し、含まれない場合はステップＳ１３０に移行する。
【００４６】
ステップＳ１２３では、システム制御部５０は、表示部２８に「非正規品の可能性があります。お客様相談センターにご相談下さい。正規の電池装置のみを使用します。」に相当する情報を表示する。
【００４７】
ステップＳ１２４では、システム制御部５０は、電源制御部８０により選択部８５を操作し、第１の電池装置９１と第２の電池装置９２のいずれかの正規品のプラス端子（＋）を電源制御部８０に接続する。これにより、正規の電池装置から電力供給を受けることができるようになる。
【００４８】
ステップＳ１３０では、システム制御部５０は、表示部２８に「非正規品の可能性があります。お客様相談センターにご相談下さい。電力供給を停止します。」に相当する情報を表示する。
【００４９】
ステップＳ１３１では、システム制御部５０は、電源制御部８０により選択部８５を操作し、第１の電池装置９１と第２の電池装置９２の全てのプラス端子（＋）を電源制御部８０から切断する。これにより、電子機器１００に接続されている全ての電池装置からの電力供給が停止する。
【００５０】
ステップＳ１４０では、システム制御部５０は、電池認証テーブルを確認し、非正規の電池装置がどれだけあるかを判定する。全部が非正規の電池装置の場合はステップＳ１４１に移行し、第１の電池装置９１が非正規の電池装置の場合はステップＳ１６０に移行し、第２の電池装置９２が非正規の電池装置の場合はステップＳ１８０に移行する。
【００５１】
ステップＳ１４１では、システム制御部５０は、表示部２８に「バッテリーの動作および安全性を保証しません。使用を続けますか。」に相当する情報を表示する。
【００５２】
ステップＳ１４２では、ユーザーが操作部７０を操作し、システム制御部５０は、ユーザーがＹＥＳアイコンを選択したかどうかを判定する。ユーザーがＹＥＳアイコンを選択した場合はステップＳ１４３に移行し、それ以外の場合はステップＳ１５０に移行する。
【００５３】
ステップＳ１４３では、システム制御部５０は、電源制御部８０により選択部８５を操作し、第１の電池装置９１のプラス端子（＋）と第２の電池装置９２のプラス端子（＋）を電源制御部８０に接続する。これにより、第１の電池装置９１と第２の電池装置９２の両方から電力供給を受けることができるようになる。この場合は、非正規の電池装置が電子機器１００に接続されていることをユーザーが了承しているので、第１の電池装置９１及び第２の電池装置９２のいずれもが非正規の電池装置であっても使用可能としている。
【００５４】
ステップＳ１５０では、システム制御部５０は、表示部２８に「電力供給を停止します。」に相当する情報を表示する。
【００５５】
ステップＳ１５１では、システム制御部５０は、電源制御部８０により選択部８５を操作し、第１の電池装置９１と第２の電池装置９２の全てのプラス端子（＋）を電源制御部８０から切断する。これにより、電子機器１００に接続されている全ての電池装置からの電力供給が停止することになる。この場合は、非正規の電池装置が電子機器１００に接続されていることをユーザーが了承していないので、第１の電池装置９１及び第２の電池装置９２のいずれもが非正規の電池装置であることから使用不能としている。
【００５６】
ステップＳ１６０では、システム制御部５０は、表示部２８に「バッテリー１の動作および安全性を保証しません。使用を続けますか。」に相当する情報を表示する。
【００５７】
ステップＳ１６１では、ユーザーが操作部７０を操作し、システム制御部５０は、ユーザーがＹＥＳアイコンを選択したかどうかを判定する。ユーザーがＹＥＳアイコンを選択した場合はステップＳ１６２に移行し、それ以外の場合はステップＳ１７０に移行する。
【００５８】
ステップＳ１６２では、システム制御部５０は、電源制御部８０により選択部８５を操作し、第１の電池装置９１のプラス端子（＋）と第２の電池装置９２のプラス端子（＋）を電源制御部８０に接続する。これにより、第１の電池装置９１と第２の電池装置９２の両方から電力供給を受けることができるようになる。この場合は、非正規の電池装置が電子機器１００に接続されていることをユーザーが了承しているので、第１の電池装置９１が非正規の電池装置であっても使用を許可している。
【００５９】
ステップＳ１７０では、システム制御部５０は、表示部２８に「正規のバッテリーのみを使用します。」に相当する情報を表示する。
【００６０】
ステップＳ１７１では、システム制御部５０は、電源制御部８０により選択部８５を操作し、第２の電池装置９２のプラス端子（＋）を電源制御部８０に接続する。これにより、第２の電池装置９２からの電力供給のみ行うことになる。この場合は、非正規の電池装置が電子機器１００に接続されていることをユーザーが了承していないので、第１の電池装置９１が非正規の電池装置であることから第１の電池装置９１を使用不能としている。
【００６１】
ステップＳ１８０では、システム制御部５０は、表示部２８に「バッテリー２の動作および安全性を保証しません。使用を続けますか。」に相当する情報を表示する。
【００６２】
ステップＳ１８１では、ユーザーが操作部７０を操作し、システム制御部５０は、ユーザーがＹＥＳアイコンを選択したかどうかを判定する。ユーザーがＹＥＳアイコンを選択した場合はステップＳ１８２に移行し、それ以外の場合はステップＳ１９０に移行する。
【００６３】
ステップＳ１８２では、システム制御部５０は、電源制御部８０により選択部８５を操作し、第１の電池装置９１のプラス端子（＋）と第２の電池装置９２のプラス端子（＋）を電源制御部８０に接続する。これにより、第１の電池装置９１と第２の電池装置９２の両方から電力供給を受けることができるようになる。この場合は、非正規の電池装置が電子機器１００に接続されていることをユーザーが了承しているので、第２の電池装置９２が非正規の電池装置であっても使用可能としている。
【００６４】
ステップＳ１９０では、システム制御部５０は、表示部２８に「正規のバッテリーのみを使用します。」に相当する情報を表示する。
【００６５】
ステップＳ１９１では、システム制御部５０は、電源制御部８０により選択部８５を操作し、第１の電池装置９１のプラス端子（＋）を電源制御部８０に接続する。これにより、正規の電池装置である第１の電池装置９１からの電力供給のみ行うことになる。この場合は、非正規の電池装置が電子機器１００に接続されていることをユーザーが了承していないので、第２の電池装置９２が非正規の電池装置であることから第２の電池装置９２を使用不能としている。
【００６６】
このように、実施形態１では、電子機器１００と複数の電池装置とを接続し、電池認証処理に失敗した場合に、電子機器１００に接続されている複数の電池装置が正規品であるか否かをユーザーに問い合わせるための情報をユーザーに通知する。そして、正規の電池装置のみを電子機器１００が使用する電池装置として選択するか否かを、ユーザーからの回答に応じて選択することができる。これにより、実施形態１では、電子機器１００に接続されている複数の電池装置に正規品及び非正規品が含まれている場合に、電子機器１００が使用する電池装置をユーザーからの回答に応じて選択することができる。
【００６７】
［実施形態２］
次に、図１、図２及び図４を参照し、実施形態２を説明する。
【００６８】
図４は、実施形態２における電子機器１００で行われる電池認証処理の一例を説明するためのフローチャートである。システム制御部５０は、メモリ５６に格納されているプログラムを実行することにより、図４のフローチャートに示す電池認証処理を制御することができる。
【００６９】
図４に示すステップＳ１１０〜Ｓ１１５及びＳ１２０で行われる処理は、図３に示すステップＳ１１０〜Ｓ１１５及びＳ１２０で行われる処理と同様であるので、それらの説明を省略する。
【００７０】
ステップＳ１２１では、ユーザーが操作部７０を操作し、システム制御部５０は、ユーザーがＹＥＳアイコンを選択したかどうかを判定する。ユーザーがＹＥＳアイコンを選択した場合はステップＳ１３０に移行し、それ以外の場合はステップＳ１４０に移行する。
【００７１】
ステップＳ１３０では、システム制御部５０は、表示部２８に「非正規品の可能性があります。お客様相談センターにご相談下さい。電力供給を停止します。」に相当する情報を表示する。
【００７２】
ステップＳ１３１では、システム制御部５０は、電源制御部８０により選択部８５を操作し、第１の電池装置９１と第２の電池装置９２の全てのプラス端子（＋）を電源制御部８０から切断する。これにより、電子機器１００に接続されている全ての電池装置からの電力供給が停止することになる。
【００７３】
図４に示すステップＳ１４０〜Ｓ１４３、Ｓ１５０、Ｓ１５１及びＳ１６０で行われる処理は、図３に示すステップＳ１４０〜Ｓ１４３、Ｓ１５０、Ｓ１５１及びＳ１６０で行われる処理と同様であるので、それらの説明を省略する。
【００７４】
ステップＳ１６１では、ユーザーが操作部７０を操作し、システム制御部５０は、ユーザーがＹＥＳアイコンを選択したかどうかを判定する。ユーザーがＹＥＳアイコンを選択した場合はステップＳ１６２に移行し、それ以外の場合はステップＳ１７２に移行する。
【００７５】
図４に示すステップＳ１６２で行われる処理は、図３に示すステップＳ１６２で行われる処理と同様であるので、その説明を省略する。
【００７６】
ステップＳ１７２では、システム制御部５０は、表示部２８に「電力供給を停止します。」に相当する情報を表示する。
【００７７】
ステップＳ１７３では、システム制御部５０は、電源制御部８０により選択部８５を操作し、第１の電池装置９１と第２の電池装置９２の全てのプラス端子（＋）を電源制御部８０から切断する。これにより、電子機器１００に接続されている全ての電池装置からの電力供給が停止することになる。この場合は、非正規の電池装置が電子機器１００に接続されていることをユーザーが了承していないので、第２の電池装置９２は正規の電池装置であるが使用不能としている。
【００７８】
図４に示すステップＳ１８０で行われる処理は、図３に示すステップＳ１８０で行われる処理と同様であるので、その説明を省略する。
【００７９】
ステップＳ１８１では、ユーザーが操作部７０を操作し、システム制御部５０は、ユーザーがＹＥＳアイコンを選択したかどうかを判定する。ユーザーがＹＥＳアイコンを選択した場合はステップＳ１８２に移行し、それ以外の場合はステップＳ１９２に移行する。
【００８０】
図４に示すステップＳ１８２で行われる処理は、図３に示すステップＳ１８２で行われる処理と同様であるので、その説明を省略する。
【００８１】
ステップＳ１９２では、システム制御部５０は、表示部２８に「電力供給を停止します。」に相当する情報を表示する。
【００８２】
ステップＳ１９３では、システム制御部５０は、電源制御部８０により選択部８５を操作し、第１の電池装置９１と第２の電池装置９２の全てのプラス端子（＋）を電源制御部８０から切断する。これにより、電池装置からの電力供給が停止することになる。この場合は、非正規の電池装置が電子機器１００に接続されていることをユーザーが了承していないので、第１の電池装置９１は正規の電池装置であるが使用不能としている。
【００８３】
このように、実施形態２では、電子機器１００と複数の電池装置とを接続し、電池認証処理に失敗した場合に、電子機器１００に接続されている複数の電池装置が正規品であるか否かをユーザーに問い合わせるための情報をユーザーに通知する。そして、正規の電池装置のみを電子機器１００が使用する電池装置として選択するか否かを、ユーザーからの回答に応じて選択することができる。これにより、実施形態２では、電子機器１００に接続されている複数の電池装置に正規品及び非正規品が含まれている場合に、電子機器１００が使用する電池装置をユーザーからの回答に応じて選択することができる。
【００８４】
［実施形態３］
実施形態１及び２で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態３では、パーソナルコンピュータ、マイクロコンピュータ、ＣＰＵなどを「コンピュータＸ」と呼ぶ。また、実施形態３では、コンピュータＸを制御するためのプログラムであって、実施形態１及び２で説明した様々な機能、処理及び方法を実現するためのプログラムを「プログラムＹ」と呼ぶ。
【００８５】
実施形態１及び２で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態３におけるコンピュータ読み取り可能な記憶媒体は、ｎｏｎ−ｔｒａｎｓｉｔｏｒｙ（非一時的）な記憶媒体である。
【符号の説明】
【００８６】
２８  表示部
５０  システム制御部
７０  操作部
８０  電源制御部
８２  通信制御部
８５  選択部
９０  接続装置（グリップユニット）
９１  第１の電池装置（バッテリー１）
９２  第２の電池装置（バッテリー２）
１００  電子機器
【図１】
0006486127.tif 000002
【図２】
0006486127.tif 000003
【図３】
0006486127.tif 000004
【図４】
0006486127.tif 000005